(57)【要約】【課題】使用者の動的バランス能力の定量化を適正に行い、使用者の動的バランス能力を効果的に向上させることに寄与すること。【解決手段】動的バランス能力評価装置１２は、使用者の歩行動作時における身体部分の複数箇所の経時的変化を計測する計測部１５と、計測部１５による計測結果から動的バランス能力の評価値を求める演算部１６とを備えている。演算部１６は、計測部１５での計測結果から、動的バランス能力に関係する複数の評価パラメータそれぞれについて、解析した結果となる解析値を求める解析値算出手段２２と、各評価パラメータの解析値から、所定の統計処理により評価値を算出する評価値算出手段２４とを備えている。評価値算出手段２４では、使用者毎に、解析値に基づいて、各評価パラメータの中から動的バランス能力の評価に影響を与える評価パラメータを抽出して、当該抽出された各評価パラメータの解析値から評価値を算出する。【選択図】          図２
2016073525.tif 000002
【特許請求の範囲】
【請求項１】
使用者の歩行による所定の身体部位の経時的変化に基づき、前記使用者の動的バランス能力を評価するための装置であって、
前記使用者の歩行動作時における前記身体部分の複数箇所の経時的変化を計測する計測部と、当該計測部による計測結果を用い、前記動的バランス能力の評価値を求める演算部とを備え、
前記演算部は、前記計測部での計測結果から、前記動的バランス能力に関係する複数の評価パラメータそれぞれについて、解析した結果となる解析値を求める解析値算出手段と、前記各評価パラメータの解析値から、所定の統計処理により、前記評価値を算出する評価値算出手段とを備え、
前記評価値算出手段では、前記使用者毎に、前記解析値に基づいて、前記各評価パラメータの中から、前記動的バランス能力の評価に影響を与える前記評価パラメータを抽出して、当該抽出された前記評価パラメータの集合をパラメータ群として特定し、当該パラメータ群に含まれる前記各評価パラメータの解析値から前記評価値を算出することを特徴とする動的バランス能力評価装置。
【請求項２】
前記評価値算出手段では、予め特定した１つの評価パラメータが含まれる前記パラメータ群により、前記評価値を算出することを特徴とする請求項１記載の動的バランス能力評価装置。
【請求項３】
前記評価値算出手段では、因子分析が用いられ、前記解析値から前記各評価パラメータ同士の関連性を表す相関行列を求め、当該相関行列に基づいて、前記パラメータ群に対する前記各評価パラメータの影響度を表す因子負荷量を前記評価パラメータ毎に求め、当該因子負荷量の大きさに応じて、前記パラメータ群を構成する前記評価パラメータを決定し、当該決定された前記評価パラメータの各解析値を用いて求めた因子得点を前記評価値とすることを特徴とする請求項１又は２記載の動的バランス能力評価装置。
【請求項４】
前記解析値算出手段では、前記使用者に所定の歩行動作を複数セット行って貰った際に、当該セット毎に前記解析値が求められ、
前記評価値算出手段では、所定のセットで得られた前記解析値が前記相関行列及び前記因子負荷量を求める際に用いられる一方、前記所定のセットと別のセットで得られた前記解析値が前記因子得点を求める際に用いられることを特徴とする請求項３記載の動的バランス能力評価装置。
【請求項５】
請求項１に記載の動的バランス能力評価装置と、前記使用者が歩行訓練を行うためのトレッドミルとを備えた歩行訓練システムであって、
前記トレッドミルは、前記使用者が乗ってその場で歩行可能に動作する歩行面を含む装置本体と、前記歩行面の動作制御を行う制御部とを備え、
前記制御部では、前記動的バランス能力評価装置で求められた前記評価値と、予め記憶された動的バランス能力の目標値との差分を減らすように、前記歩行面の動作制御を行うことを特徴とする歩行訓練システム。
【請求項６】
前記制御部では、前記歩行面を手動操作により動作させる手動訓練モードと、前記動的バランス能力評価装置で求めた前記評価値に基づいて自動的に前記歩行面を動作させる自動訓練モードとが任意に選択可能に設けられ、これら各モードにより前記歩行面の動作制御を行うことを特徴とする請求項５記載の歩行訓練システム。
【発明の詳細な説明】
【技術分野】
【０００１】
本発明は、動的バランス能力評価装置及びそれを用いた歩行訓練システムに係り、更に詳しくは、使用者の動的バランス能力を適正に評価するための定量的な指標を求めることができ、使用者の動的バランス能力の向上に資する動的バランス能力評価装置及びそれを用いた歩行訓練システムに関する。
【背景技術】
【０００２】
我が国では、高齢化社会や先進国化に伴い、成人の体力低下が問題になっており、特に、高齢者にあっては、転倒による骨折や膝の故障により、要介護状態に陥るリスクがある。ここで、高齢者の歩行時に転倒が生じる要因としては、バランス能力の低下が挙げられる。このバランス能力は、静止時に姿勢を維持する能力である静的バランス能力と、重心移動時に姿勢を維持する能力である動的バランス能力とに大別され、特に、後者の動的バランス能力の低下が、高齢者の歩行時の転倒の大きな要因となっている。加えて、健康維持においても動的バランス能力の重要性は高いと言われている。そこで、日常生活における動的バランス能力の訓練は有用であり、当該訓練を適正に行うためには、訓練者自身の現状の動的バランス能力の適正評価が必要となる。ところが、ここまで、動的バランス能力自体を定量的に評価する手法が明確になっておらず、動的バランス能力を効果的に訓練するには、必ずしも十分とは言えないものが存在するのみであった。
【０００３】
ところで、特許文献１には、使用者の歩行動作における床反力の測定に基づき、つまずきリスクを評価するつまずきリスク評価装置が開示されている。当該つまずきリスク評価装置では、床反力の変化から推定されるつま先クリアランスに基づき、つまずきリスクの評価がなされる。
【先行技術文献】
【特許文献】
【０００４】
【特許文献１】特開２０１３−１３８７８３号公報
【発明の概要】
【発明が解決しようとする課題】
【０００５】
しかしながら、前記特許文献１のつまずきリスク評価装置では、つまずきリスクの評価時において、全ての使用者に同一となる１つの評価パラメータ（つま先クリアランス）のみしか用いられていないことから、個々の使用者それぞれについて、必ずしも正確な評価が得られるとは言えない。つまり、例えば、つま先クリアランスが小さくても、性別、筋力の大小、骨格、バランス感覚等の使用者個々の特性により、つまずきリスクの大小が分かれることになる。従って、つまずきリスクは、使用者個々の特性に左右される動的バランス能力を総合判断しなければ適正に評価できず、特許文献１のつまずきリスク評価装置では、動的バランス能力自体の総合判断がなされないため、つまずきリスクの評価を適正に行えない場合が生じる。
【０００６】
ところで、動的バランス能力の評価対象者について、当該動的バランス能力の評価を左右する歩行動作時の要素としては、歩行時における評価対象者の身体部分の複数箇所の経時的変化が考えられる。そこで、動的バランス能力を評価するためのパラメータ（評価パラメータ）として、使用者の身体部分の複数箇所の動きに関する評価パラメータを設定し、全評価対象者で一律の全ての評価パラメータを用いて動的バランス能力自体を数値化することが想定される。しかしながら、本発明者らの研究結果によれば、評価対象者間での前述した個々の特性の相違により、各評価パラメータについて、動的バランス能力の評価における影響度は、各評価対象者で相違すると考えられる。従って、評価対象者毎に、全ての前記評価パラメータの中から動的バランス能力に大きな影響を与えると思われる評価パラメータを選別した上で、当該選別された群の各評価パラメータに関する解析値に基づき、動的バランス能力を数値化することが、動的バランス能力を適格に表す指標となり得ることを知見した。
【０００７】
本発明は、このような本発明者らの研究結果に基づいて案出されたものであり、その目的は、使用者の動的バランス能力の定量化を適正に行い、使用者の動的バランス能力を効果的に向上させることに寄与する動的バランス能力評価装置及びそれを用いた歩行訓練システムを提供することにある。
【課題を解決するための手段】
【０００８】
前記目的を達成するため、本発明は、使用者の歩行による所定の身体部位の経時的変化に基づき、前記使用者の動的バランス能力を評価するための装置であって、前記使用者の歩行動作時における前記身体部分の複数箇所の経時的変化を計測する計測部と、当該計測部による計測結果を用い、前記動的バランス能力の評価値を求める演算部とを備え、前記演算部は、前記計測部での計測結果から、前記動的バランス能力に関係する複数の評価パラメータそれぞれについて、解析した結果となる解析値を求める解析値算出手段と、前記各評価パラメータの解析値から、所定の統計処理により、前記評価値を算出する評価値算出手段とを備え、前記評価値算出手段では、前記使用者毎に、前記解析値に基づいて、前記各評価パラメータの中から、前記動的バランス能力の評価に影響を与える前記評価パラメータを抽出して、当該抽出された前記評価パラメータの集合をパラメータ群として特定し、当該パラメータ群に含まれる前記各評価パラメータの解析値から前記評価値を算出する、という構成を採っている。
【０００９】
また、本発明は、前記動的バランス能力評価装置と、前記使用者が歩行訓練を行うためのトレッドミルとを備えた歩行訓練システムであって、前記トレッドミルは、前記使用者が乗ってその場で歩行可能に動作する歩行面を含む装置本体と、前記歩行面の動作制御を行う制御部とを備え、前記制御部では、前記動的バランス能力評価装置で求められた前記評価値と、予め記憶された動的バランス能力の目標値との差分を減らすように、前記歩行面の動作制御を行う、という構成を採っている。
【発明の効果】
【００１０】
本発明によれば、各使用者それぞれについて、使用者の身体部分の経時的変化の計測結果に基づき、動的バランス能力に大きな影響を与える評価パラメータが選定され、使用者毎に特定されたパラメータ群内の評価パラメータの各解析値に基づいて、各評価パラメータの動的バランス能力における重要度の相違を加味しながら、動的バランス能力の評価値が求められる。このため、使用者個々の特性の相違が考慮された定量的な動的バランス能力の評価指標を得ることができ、当該評価指標である評価値を用いることにより、当該使用者における動的バランス能力向上のための効果的な歩行訓練に資することが期待できる。
【図面の簡単な説明】
【００１１】
【図１】本実施形態に係る歩行訓練システムの概念図。
【図２】動的バランス能力評価装置の概略構成を表すブロック図。
【発明を実施するための形態】
【００１２】
以下、本発明の実施形態について図面を参照しながら説明する。
【００１３】
図１には、本実施形態に係る歩行訓練システムの概略図が示されている。この図において、前記歩行訓練システム１０は、歩行訓練を行う訓練者である使用者Ｔの重心移動時の姿勢維持能力すなわち動的バランス能力を評価するための動的バランス能力評価装置１２と、動的バランス能力評価装置１２による動的バランス能力の評価結果に基づいて、使用者Ｔに歩行訓練をさせるためのトレッドミル１３とにより構成される。
【００１４】
前記動的バランス能力評価装置１２は、予め、使用者Ｔに対して所定のタスクを行って貰い、当該タスクに基づいて、使用者Ｔの動的バランス能力を定量的に評価するための評価値を算出する装置である。すなわち、前記タスクとして、使用者Ｔに、トレッドミル１３のベルトＶ上で所定の歩行動作をして貰い、動的バランス能力評価装置１２において、当該歩行動作時における使用者Ｔの所定の身体部位の経時的変化に基づき、使用者Ｔの動的バランス能力の評価値が求められる。本実施形態では、特に限定されるものではないが、使用者Ｔに対し、片足当たり１０歩で両足合計２０歩の歩行動作（タスク）を１セットとして合計３セットして貰い、これらの歩行動作に基づいて、当該使用者Ｔの動的バランス能力の評価値が求められる。なお、以下の説明において、各歩数それぞれにおける状態を「各歩行状態」と称する。
【００１５】
動的バランス能力評価装置１２は、図２に示されるように、前述のタスクによる使用者Ｔの歩行動作時における複数箇所の身体部分の経時的変化を計測する計測部１５と、計測部１５の計測結果に基づいて、動的バランス能力の評価値を求める演算部１６とを備えている。
【００１６】
前記計測部１５は、使用者Ｔの足圧分布を計測する足圧計測手段１８と、使用者Ｔの各身体部位の位置及び姿勢（角度）を計測する位置姿勢計測手段１９と、使用者Ｔの歩行時の床反力を計測する床反力計測手段２０とを備えている。これら足圧計測手段１８、位置姿勢計測手段１９及び床反力計測手段２０は、公知の計測手法を用いた公知の機器やシステムにより構成されており、本発明の本質部分ではないため、装置構成等の構造の説明を省略し、以下にて要点のみを簡略に説明する。
【００１７】
前記足圧計測手段１８では、使用者Ｔの左右両側の足裏に取り付けられた圧力センサ（図示省略）により、左右両側の足底圧力の分布を計測し、足裏における圧力中心の時間推移データとなる足圧中心軌跡を左右の足裏毎に求めることが可能になっている。なお、図示省略しているが、足裏内での圧力中心の位置を特定する座標系として、足裏の左右方向となる幅方向をｘ軸とし、足裏の踵から爪先に向かう長さ方向をｙ軸としたｘｙ座標系が設定されている。
【００１８】
前記位置姿勢計測手段１９としては、所定の基準位置を原点とする三次元の位置計測を可能にする三次元位置計測装置（図示省略）が用いられ、使用者Ｔのつま先、足関節、膝関節、股関節の身体部位の他に、体幹を特定可能な身体部位に取り付けられたマーカ（図示省略）を追跡検知することで、当該各マーカの三次元位置、すなわち、前記体幹を含む各身体部位の三次元位置を検出するようになっている。そして、当該三次元位置の経時的変化から、前記体幹を含む各身体部位の角度も求められるようになっている。なお、この位置姿勢計測手段１９としては、前記三次元位置計測装置に限らず、図示しない加速度センサによって求めた前記各身体部位の加速度に基づいてその位置や姿勢を求める等、他のセンサや測定機器に代替することも可能である。
【００１９】
前記床反力計測手段２０では、使用者Ｔが前記ベルトＶ上を歩行する際に、当該ベルトＶを蹴る力を検出することで、床反力を求めるようになっている。ここでのベルトＶを蹴る力は、ベルトＶを駆動する後述のモータＭの負荷の変化をセンサ（図示省略）で検出することで求められるようになっている。また、床反力計測手段２０としては、ベルトＶに圧力センサ（図示省略）を設けて、当該圧力センサの計測値から床反力を求める構成にしても良い。
【００２０】
前記演算部１６は、ＣＰＵ等の演算処理装置及びメモリやハードディスク等の記憶装置等からなるコンピュータによって構成され、当該コンピュータを以下の各手段として機能させるためのプログラムがインストールされている。
【００２１】
この演算部１６は、計測部１５での計測結果から、動的バランス能力に関係する複数の評価パラメータそれぞれについて、解析した結果となる解析値を求める解析値算出手段２２と、各評価パラメータの解析値から、所定の統計処理により、動的バランス能力の評価値を算出する評価値算出手段２４とを備えている。
【００２２】
本実施形態では、特に限定されるものではないが、前記評価パラメータとして、使用者Ｔの足底圧力の軌跡の平均を表す足底圧軌跡平均（パラメータ１）と、当該足底圧力の軌跡の標準偏差（パラメータ２）と、使用者Ｔの足関節の軌跡の平均を表す足関節軌跡平均（パラメータ３）と、当該足関節の軌跡の標準偏差（パラメータ４）と、爪先位置と地面との高さであるクリアランスの平均であるクリアランス平均（パラメータ５）と、当該クリアランスの標準偏差（パラメータ６）と、使用者Ｔの歩行時における床反力（パラメータ７）と、使用者Ｔの股関節の角度である股関節角度（パラメータ８）と、使用者Ｔの体幹の角度である体幹角度（パラメータ９）とが予め設定されている。
【００２３】
なお、前記評価パラメータとしては、前述のパラメータ１〜９に限定されず、一部を他のパラメータに代替し、或いは、他のパラメータを併用することも可能である。例えば、使用者Ｔの頭部の位置、姿勢、加速度や、使用者の目線の位置等のパラメータも採用することもできる。
【００２４】
前記解析値算出手段２２では、次のようにして、各評価パラメータの解析値が求められる。
【００２５】
前記パラメータ１に関しては、足圧計測手段１８で計測された足底圧力の軌跡から、使用者Ｔの足裏の長さ方向（ｙ軸方向）での各位置（ｙ座標）それぞれについて、１０歩の各歩行状態での足裏の幅方向（ｘ軸方向）の圧力中心の位置（ｘ座標）の平均値が、解析値としてタスクのセット毎に算出される。
【００２６】
前記パラメータ２に関しては、前記ｙ座標のそれぞれの位置について、各歩行状態での前記ｘ座標における圧力中心のばらつきの程度すなわち標準偏差が、解析値としてタスクのセット毎に算出される。
【００２７】
前記パラメータ３に関しては、同一の足が立脚相から次の立脚相になるまでの間の１遊脚相内での各時刻について、位置姿勢計測手段１９により計測された足関節の位置すなわち地面からの高さの１歩毎の平均値が、解析値としてタスクのセット毎に算出される。
【００２８】
前記パラメータ４に関しては、前記１遊脚相内での各時刻における足関節の位置の１歩毎のばらつきの程度を表す標準偏差が、解析値としてタスクのセット毎に算出される。
【００２９】
前記パラメータ５に関しては、前記１遊脚相内での各時刻について、位置姿勢計測手段１９で計測された地面からの爪先の高さすなわちクリアランスの１歩毎の平均値が、解析値としてタスクのセット毎に算出される。
【００３０】
前記パラメータ６に関しては、前記１遊脚相内での各時刻におけるクリアランスの１歩毎のばらつきの程度を表す標準偏差が、解析値としてタスクのセット毎に算出される。
【００３１】
前記パラメータ７に関しては、タスクの各セットそれぞれについて、各歩行状態において床反力計測手段２０で計測された床反力が、そのまま解析値として用いられる。
【００３２】
前記パラメータ８に関しては、タスクの各セットそれぞれについて、各歩行状態において位置姿勢計測手段１９で計測された股関節角度が、そのまま解析値として用いられる。
【００３３】
前記パラメータ９に関しては、タスクの各セットそれぞれについて、各歩行状態において位置姿勢計測手段１９で計測された体幹角度が、そのまま解析値として用いられる。
【００３４】
前記評価値算出手段２４では、公知の因子分析を用い、使用者Ｔ毎に、前記各解析値に基づいて、評価パラメータの中から、動的バランス能力の評価に大きな影響を与える複数の評価パラメータを抽出し、当該抽出された評価パラメータの集合をパラメータ群として特定し、当該パラメータ群に含まれる各評価パラメータの各解析値から前記評価値を算出するようになっており、具体的には、次の手順で当該評価値が求められる。
【００３５】
先ず、３セット行ったタスクのうちランダムに選択した２セットのタスクで得られた各評価パラメータの解析値から、各評価パラメータ同士の関連性を表す相関行列が求められる。そして、当該相関行列から、最尤法による因子の抽出が行われ、仮想的なパラメータ群に対する各評価パラメータの影響度を表す因子負荷量が求められる。更に、前記パラメータ１を含むパラメータ群において、各評価パラメータの因子負荷量が所定の閾値未満（例えば、絶対値で０．４未満）である評価パラメータを除外した評価パラメータのみが、当該パラメータ群を構成する評価パラメータとして抽出される。その後、プロマックス法による因子回転を経て因子得点が算出され、当該因子得点が評価パラメータの評価値とされる。すなわち、以下の式に示されるように、パラメータ群を構成する評価パラメータに基づき、前記相関行列Ｒが設定されるとともに、因子負荷量を行列化した因子負荷行列Ａが設定され、これら相関行列Ｒ及び因子負荷行列Ａを定数項とし、先に用いた２セットのタスクの測定解析値と別の残りの１セットのタスクについて得られた解析値のうち、パラメータ群を構成する評価パラメータの解析値（解析値ベクトルｘ）を変数として、因子得点ｆが算出される。
【数１】
2016073525.tif 000003
以上において、定数項を求めるための前記解析値と、変数となる前記解析値とが、別セットのタスクの結果得られた数値が用いられるため、前記定数項と前記変数とを不干渉にすることができ、客観性を保つことができる。
【００３６】
なお、前記評価値算出手段２４におけるパラメータ群の評価パラメータの決定は、前記解析値から、他の多変量解析等の統計手法を用いることもできる。
【００３７】
例えば、前述と同様に、パラメータ群における各評価パラメータの影響度（重要度）を数値化し、当該影響度に応じた重み付け係数をパラメータ群内の各評価パラメータで設定し、当該各評価パラメータの解析値に対応する重み付け係数に乗じて加算等することで、動的バランス能力の評価値を求めるようにしても良い。
【００３８】
前記トレッドミル１３は、図１に示されるように、使用者Ｔが乗ってその場で歩行可能に動作する装置本体２６と、医師や理学療法士等の付添者Ｐが各種の条件や指令を入力するための入力部２７と、装置本体２６に乗った状態の使用者Ｔの前方に配置されるとともに、動的バランス能力評価装置１２による動的バランス能力の評価に基づく種々の情報等を表示可能なモニタ２８と、装置本体２６の動作制御を行う制御部２９とを備えている。
【００３９】
前記装置本体２６は、前後方向に延びる左右一対のサイドフレーム３１，３１と、これらサイドフレーム３１，３１の間で前後方向に延びるセンターフレーム３３と、左側のサイドフレーム３１とセンターフレーム３３の前後両側で回転可能に支持される丸棒状の左側のシャフト３５，３５と、右側のサイドフレーム３１とセンターフレーム３３の前後両側で回転可能に支持される丸棒状の右側のシャフト３５，３５と、左側のシャフト３５に掛け回される左側のベルトＶと、右側のシャフト３５に掛け回される右側のベルトＶと、前側に位置する左右それぞれのシャフト３５，３５に連なって、当該各シャフト３５，３５を回転させる左右両側のモータＭとを備えている。
【００４０】
前記左側のベルトＶは、その上面が使用者Ｔの左脚が乗る歩行面となっている一方、右側のベルトＶは、その上面が使用者Ｔの右脚が乗る歩行面となっている。また、各ベルトＶは、各モータＭが駆動すると回転し、これによって、各歩行面は後方に向かってスライド動作する。
【００４１】
前記モニタ２８には、例えば、動的バランス能力評価装置１２で求めた使用者Ｔの現状の動的バランス能力の評価値と、予め記憶された動的バランス能力の目標ラインとが表示され、使用者Ｔにとって目標となる歩行動作との過不足を視覚的に認識可能になっている。また、モニタ２８には、画面の切換や併記等により、評価値の算出に用いた各評価パラメータの解析値がその目標値とともに優先的に提示され、どの評価パラメータに関する能力が劣っているのかについても、使用者Ｔが視覚的に認識可能となっている。
【００４２】
前記制御部２９では、付添者Ｐによる入力部２７の入力に応じて各ベルトＶを回転動作させる手動訓練モードと、動的バランス能力評価装置１２で求めた動的バランス能力の評価値に基づいて自動的に各ベルトＶを動作させる自動訓練モードとが任意に選択可能に設けられ、当該各モードに応じて、モータＭの駆動制御を行うようになっている。
【００４３】
前記手動訓練モードでは、前述の動的バランス能力に関するモニタ２８の表示を付添者Ｐが見ながら、当該付添者Ｐからの入力部２７の入力により、左右の各ベルトＶ，Ｖの回転速度の調整を行えるようになっている。すなわち、当該手動訓練モードは、付添者Ｐの手動操作によって、当該ベルトＶ，Ｖ上を歩行する使用者Ｔの歩行動作を改善させるためのモードである。
【００４４】
前記自動訓練モードでは、モニタ２８に提示されている使用者Ｔの現状の動的バランス能力の評価値と前記目標値との差分を減らすように、左右の各ベルトＶ，Ｖの回転状態の調整を自動的に行うようになっている。ここでは、床反力計測手段２０によって計測される床反力の前後方向の成分、すなわち、使用者ＴがベルトＶ，Ｖを前後方向に蹴る力に基づいて、各ベルトＶ，Ｖの回転速度や回転トルク（抵抗力）が制御される。具体的には、ベルトＶを前後方向に蹴る力が、予め設定及び記憶された目標となる値に対して不足していると判断されると、ベルトＶの速度及び／又は抵抗力を増大させ、患者が更にベルトＶを強く蹴ることを促すように作用する。
【００４５】
なお、本発明における装置各部の構成は図示構成例に限定されるものではなく、実質的に同様の作用を奏する限りにおいて、種々の変更が可能である。
【符号の説明】
【００４６】
１０  歩行訓練システム
１２  動的バランス能力評価装置
１３  トレッドミル
１５  計測部
１６  演算部
２２  測定解析値算出手段
２４  評価値算出手段
２６  装置本体
２９  制御部
Ｔ  使用者
Ｖ  ベルト（歩行面）
【図１】
2016073525.tif 000004
【図２】
2016073525.tif 000005